(57)【特許請求の範囲】
【請求項１】
電源電圧を第１負荷に与える手段と、検出した電源電圧値に応じたデュ―ティ比で電源電圧をＰＷＭ制御し、ＰＷＭ制御した電源電圧を第２負荷に与えるＰＷＭ電源制御装置とを備える電源システムにおいて、
前記第１負荷の始動指示信号を外部から受信する受信手段と、該受信手段が始動指示信号を受信したときから所定時間遅延させて前記第１負荷を始動させる始動手段と、前記受信手段が始動指示信号を受信したときに、前記第１負荷が始動前であることを示す始動前信号を前記ＰＷＭ電源制御装置へ送信する手段とを備え、該ＰＷＭ電源制御装置は、前記始動前信号を受信する第２受信手段と、前記第１負荷の始動電流値を記憶してあり、前記第２受信手段が始動前信号を受信したときに、記憶してある始動電流値及び検出した電源電圧値に基づき、前記第１負荷の始動時に前記第２負荷へのＰＷＭ制御を継続すべきか否かを判定する判定手段とを有し、該判定手段が継続すべきでないと判定したときは、前記ＰＷＭ制御を停止するように構成してあることを特徴とする電源システム。
【請求項２】
前記ＰＷＭ電源制御装置は、前記判定手段が継続すべきでないと判定したときは、前記ＰＷＭ制御を停止した後、前記第１負荷の始動を許可する始動許可信号を送信する送信手段を更に有し、前記受信手段は、該送信手段が送信した始動許可信号を受信し、該受信手段が始動許可信号を受信したときは、前記始動手段が前記第１負荷を始動させるように構成してある請求項１記載の電源システム。
【請求項３】
前記ＰＷＭ電源制御装置は、前記送信手段が始動許可信号を送信した後、第２時間経過したときは、前記ＰＷＭ制御を再開するように構成してある請求項２記載の電源システム。
【請求項４】
第１負荷に与えられる電源電圧を検出した電源電圧値に応じたデュ―ティ比で電源電圧をＰＷＭ制御し、ＰＷＭ制御した電源電圧を第２負荷に与えるＰＷＭ電源制御装置において、
前記第１負荷が始動前であることを示す始動前信号を受信する受信手段と、前記第１負荷の始動電流値を記憶してあり、前記受信手段が始動前信号を受信したときに、記憶してある始動電流値及び検出した電源電圧値に基づき、前記第１負荷の始動時に前記第２負荷へのＰＷＭ制御を継続すべきか否かを判定する判定手段とを備え、該判定手段が継続すべきでないと判定したときは、前記ＰＷＭ制御を停止するように構成してあることを特徴とするＰＷＭ電源制御装置。
【請求項５】
前記判定手段が継続すべきでないと判定したときは、前記ＰＷＭ制御を停止した後、前記第１負荷の始動を許可する始動許可信号を送信する送信手段を更に備える請求項４記載のＰＷＭ電源制御装置。
【請求項６】
前記送信手段が始動許可信号を送信した後、第２時間経過したときは、前記ＰＷＭ制御を再開するように構成してある請求項５記載のＰＷＭ電源制御装置。
【請求項７】
第１負荷が始動前であることを示す始動前信号を受信する受信手段と、前記第１負荷の始動電流値を記憶してあり、前記受信手段が始動前信号を受信したときに、記憶してある始動電流値及び検出した電源電圧値に基づき、前記第１負荷の始動時に第２負荷へのＰＷＭ制御を継続すべきか否かを判定する判定手段と、該判定手段が継続すべきでないと判定したときは、前記ＰＷＭ制御を停止する手段とを有し、検出した電源電圧値に応じたデュ―ティ比で電源電圧をＰＷＭ制御し、ＰＷＭ制御した電源電圧を第２負荷に与えるＰＷＭ電源制御装置と通信し、電源電圧を前記第１負荷に与える負荷制御装置であって、
前記第１負荷の始動指示信号を外部から受信する第２受信手段と、該第２受信手段が始動指示信号を受信したときから所定時間遅延させて前記第１負荷を始動させる始動手段と、前記第２受信手段が始動指示信号を受信したときに、前記第１負荷が始動前であることを示す始動前信号を前記ＰＷＭ電源制御装置へ送信する手段とを備えることを特徴とする負荷制御装置。
【請求項８】
前記第２受信手段は、外部から前記第１負荷の始動許可信号を受信し、前記第２受信手段が始動許可信号を受信したときは、前記始動手段が前記第１負荷を始動させるように構成してある請求項７記載の負荷制御装置。
【発明の詳細な説明】
【技術分野】
【０００１】
本発明は、検出した電源電圧値に応じたデュ―ティ比で電源電圧をＰＷＭ制御し、ＰＷＭ制御した電源電圧を負荷に与えるＰＷＭ電源制御装置を備え、車両等に好適に使用される電源システム、この電源システムに使用されるＰＷＭ電源制御装置及び負荷制御装置に関するものである。
【背景技術】
【０００２】
車両に搭載される電源システムでは、車載バッテリの定格電圧値が１２Ｖであるので、車載負荷の定格電圧値も１２Ｖ程度に定められている。しかし、オルタネータ（交流発電機）の整流された出力電圧は、車載バッテリへの充電の為に１３．５Ｖ程度と高めに設定されており、オルタネータが発電中は、車載負荷へも１３．５Ｖ程度（他の負荷の作動状況により低下する。）の電源電圧が与えられ、必要以上に電力を消費することになる。
そこで、車載負荷が必要以上に電力を消費しないように、電源電圧値及び車載負荷の定格電圧値に基づき電源電圧をＰＷＭ制御し、定格電圧程度に降圧して車載負荷に与える技術が実用化されている。
【０００３】
特許文献１には、電源電圧がＰＷＭ回路の動作上限電圧及び動作下限電圧の範囲外になったとき、ＰＷＭ回路のデュ―ティ制御を停止させる車載用電源装置が記載されている。検出回路は、電源電圧がＰＷＭ回路の動作上限電圧及び動作下限電圧の範囲内に復帰したとき、所定の遅延時間後に、ＰＷＭ回路のデュ―ティ制御を開始させる。これにより、バッテリ電圧及び直流入力電源電圧に大きな周波数変動や電圧変動又はこれらの複合変動が発生したとしても、ＰＷＭ回路の誤差増幅器が位相ずれにより正帰還領域で動作することがなく、出力電圧の発振を防止する。
【先行技術文献】
【特許文献】
【０００４】
【特許文献１】特開２００２−３４２３７号公報
【発明の概要】
【発明が解決しようとする課題】
【０００５】
例えば、空調機（空気調和機）に使用されるモータは、始動時に突入電流が発生し、これにより電源電圧が低下するが、比較的に容量が大きいモータの場合、突入電流は、図７に示すように、数ミリ秒間で最大値に到達する。その為、上述したように、電源電圧をＰＷＭ制御している場合、検出回路が電源電圧の低下を検出してＰＷＭ制御（ＰＷＭ回路のデュ―ティ制御）を停止しても間に合わず、ＰＷＭ制御による降圧と突入電流による低下とが合わさって、電源電圧が定格を下回ることがあるという問題がある。また、電源電圧のＰＷＭ制御停止を早める為に、電源電圧の閾値を高くすると、ＰＷＭ制御停止が頻繁になり、消費電力を削減する効果が小さくなるという問題がある。
尚、ヘッドランプ等では、瞬間的に電源電圧が定格割れ（定格を下回ること）を起こすと、一瞬暗くなる。
【０００６】
本発明は、上述したような事情に鑑みてなされたものであり、一方の負荷の電源電圧をＰＷＭ制御している場合に、突入電流が発生する他方の負荷が始動しても、一方の負荷の電源電圧が定格を下回ることを防止でき、消費電力の削減効果の低下を防止できる電源システムを提供することを目的とする。
本発明は、また、本発明に係る電源システムに好適に使用されるＰＷＭ電源制御装置を提供することを目的とする。
本発明は、また、本発明に係る電源システムに好適に使用される負荷制御装置を提供することを目的とする。
【課題を解決するための手段】
【０００７】
第１発明に係る電源システムは、電源電圧を第１負荷に与える手段と、検出した電源電圧値に応じたデュ―ティ比で電源電圧をＰＷＭ制御し、ＰＷＭ制御した電源電圧を第２負荷に与えるＰＷＭ電源制御装置とを備える電源システムにおいて、前記第１負荷の始動指示信号を外部から受信する受信手段と、該受信手段が始動指示信号を受信したときから所定時間遅延させて前記第１負荷を始動させる始動手段と、前記受信手段が始動指示信号を受信したときに、前記第１負荷が始動前であることを示す始動前信号を前記ＰＷＭ電源制御装置へ送信する手段とを備え、該ＰＷＭ電源制御装置は、前記始動前信号を受信する第２受信手段と、前記第１負荷の始動電流値を記憶してあり、前記第２受信手段が始動前信号を受信したときに、記憶してある始動電流値及び検出した電源電圧値に基づき、前記第１負荷の始動時に前記第２負荷へのＰＷＭ制御を継続すべきか否かを判定する判定手段とを有し、該判定手段が継続すべきでないと判定したときは、（デュ―ティ比を１００％にして、実効的に）前記ＰＷＭ制御を停止するように構成してあることを特徴とする。
尚、以下で、「ＰＷＭ制御を停止する」とは「ＰＷＭ制御のデュ―ティ比を１００％にする」との意を含み、「ＰＷＭ制御を再開する」とは「デュ―ティ比１００％のＰＷＭ制御から、所定のデュ―ティ比のＰＷＭ制御に移行する」との意を含むものとする。請求項における「ＰＷＭ制御を停止する」、「ＰＷＭ制御を再開する」もそれぞれ同様の意を含むことはいうまでもない。
【０００８】
この電源システムでは、電源電圧を第１負荷に与えると共に、ＰＷＭ電源制御装置が、検出した電源電圧値に応じたデュ―ティ比で電源電圧をＰＷＭ制御し、ＰＷＭ制御した電源電圧を第２負荷に与える。受信手段が、第１負荷の始動指示信号を外部から受信し、始動手段が、受信手段が始動指示信号を受信したときから所定時間遅延させて第１負荷を始動させる。受信手段が始動指示信号を受信したときに、送信する手段が、第１負荷が始動前であることを示す始動前信号をＰＷＭ電源制御装置へ送信する。ＰＷＭ電源制御装置は、第２受信手段が、始動前信号を受信し、判定手段が、第１負荷の始動電流値を記憶してあり、第２受信手段が始動前信号を受信したときに、記憶してある始動電流値及び検出した電源電圧値に基づき、第１負荷の始動時に第２負荷へのＰＷＭ制御を継続すべきか否かを判定し、判定手段が継続すべきでないと判定したときは、ＰＷＭ制御を停止する。
【０００９】
第２発明に係る電源システムは、前記ＰＷＭ電源制御装置は、前記判定手段が継続すべきでないと判定したときは、前記ＰＷＭ制御を停止した後、前記第１負荷の始動を許可する始動許可信号を送信する送信手段を更に有し、前記受信手段は、該送信手段が送信した始動許可信号を受信し、該受信手段が始動許可信号を受信したときは、前記始動手段が前記第１負荷を始動させるように構成してあることを特徴とする。
【００１０】
この電源システムでは、ＰＷＭ電源制御装置は、判定手段が継続すべきでないと判定したときは、ＰＷＭ制御を停止した後、送信手段が、第１負荷の始動を許可する始動許可信号を送信する。受信手段は、送信手段が送信した始動許可信号を受信し、受信手段が始動許可信号を受信したときは、始動手段が第１負荷を始動させる。
【００１１】
第３発明に係る電源システムは、前記ＰＷＭ電源制御装置は、前記送信手段が始動許可信号を送信した後、第２時間経過したときは、前記ＰＷＭ制御を再開するように構成してあることを特徴とする。
【００１２】
この電源システムでは、ＰＷＭ電源制御装置は、送信手段が始動許可信号を送信した後、第２時間経過したときは、ＰＷＭ制御を再開する。
【００１３】
第４発明に係るＰＷＭ電源制御装置は、第１負荷に与えられる電源電圧を検出した電源電圧値に応じたデュ―ティ比で電源電圧をＰＷＭ制御し、ＰＷＭ制御した電源電圧を第２負荷に与えるＰＷＭ電源制御装置において、前記第１負荷が始動前であることを示す始動前信号を受信する受信手段と、前記第１負荷の始動電流値を記憶してあり、前記受信手段が始動前信号を受信したときに、記憶してある始動電流値及び検出した電源電圧値に基づき、前記第１負荷の始動時に前記第２負荷へのＰＷＭ制御を継続すべきか否かを判定する判定手段とを備え、該判定手段が継続すべきでないと判定したときは、前記ＰＷＭ制御を停止するように構成してあることを特徴とする。
【００１４】
このＰＷＭ電源制御装置では、第１負荷に与えられる電源電圧を検出した電源電圧値に応じたデュ―ティ比で電源電圧をＰＷＭ制御し、ＰＷＭ制御した電源電圧を第２負荷に与える。受信手段が、第１負荷が始動前であることを示す始動前信号を受信し、判定手段が、第１負荷の始動電流値を記憶してあり、受信手段が始動前信号を受信したときに、記憶してある始動電流値及び検出した電源電圧値に基づき、第１負荷の始動時に第２負荷へのＰＷＭ制御を継続すべきか否かを判定する。判定手段が継続すべきでないと判定したときは、ＰＷＭ制御を停止する。
【００１５】
第５発明に係るＰＷＭ電源制御装置は、前記判定手段が継続すべきでないと判定したときは、前記ＰＷＭ制御を停止した後、前記第１負荷の始動を許可する始動許可信号を送信する送信手段を更に備えることを特徴とする。
【００１６】
このＰＷＭ電源制御装置では、判定手段が継続すべきでないと判定したときは、ＰＷＭ制御を停止した後、送信手段が、第１負荷の始動を許可する始動許可信号を送信する。
【００１７】
第６発明に係るＰＷＭ電源制御装置は、前記送信手段が始動許可信号を送信した後、第２時間経過したときは、前記ＰＷＭ制御を再開するように構成してあることを特徴とする。
【００１８】
このＰＷＭ電源制御装置では、送信手段が始動許可信号を送信した後、第２時間経過したときは、ＰＷＭ制御を再開する。
【００１９】
第７発明に係る負荷制御装置は、第１負荷が始動前であることを示す始動前信号を受信する受信手段と、前記第１負荷の始動電流値を記憶してあり、前記受信手段が始動前信号を受信したときに、記憶してある始動電流値及び検出した電源電圧値に基づき、前記第１負荷の始動時に第２負荷へのＰＷＭ制御を継続すべきか否かを判定する判定手段と、該判定手段が継続すべきでないと判定したときは、前記ＰＷＭ制御を停止する手段とを有し、検出した電源電圧値に応じたデュ―ティ比で電源電圧をＰＷＭ制御し、ＰＷＭ制御した電源電圧を第２負荷に与えるＰＷＭ電源制御装置と通信し、電源電圧を前記第１負荷に与える負荷制御装置であって、前記第１負荷の始動指示信号を外部から受信する第２受信手段と、該第２受信手段が始動指示信号を受信したときから所定時間遅延させて前記第１負荷を始動させる始動手段と、前記第２受信手段が始動指示信号を受信したときに、前記第１負荷が始動前であることを示す始動前信号を前記ＰＷＭ電源制御装置へ送信する手段とを備えることを特徴とする。
【００２０】
この負荷制御装置では、受信手段が、第１負荷が始動前であることを示す始動前信号を受信し、判定手段が、第１負荷の始動電流値を記憶してあり、受信手段が始動前信号を受信したときに、記憶してある始動電流値及び検出した電源電圧値に基づき、第１負荷の始動時に第２負荷へのＰＷＭ制御を継続すべきか否かを判定する。判定手段が継続すべきでないと判定したときは、停止する手段がＰＷＭ制御を停止する。この負荷制御装置では、また、ＰＷＭ電源制御装置と通信し、電源電圧を第１負荷に与える。ＰＷＭ電源制御装置は、検出した電源電圧値に応じたデュ―ティ比で電源電圧をＰＷＭ制御し、ＰＷＭ制御した電源電圧を第２負荷に与える。
この負荷制御装置では、第２受信手段が、第１負荷の始動指示信号を外部から受信し、始動手段が、第２受信手段が始動指示信号を受信したときから所定時間遅延させて第１負荷を始動させ、第２受信手段が始動指示信号を受信したときに、送信する手段が、第１負荷が始動前であることを示す始動前信号をＰＷＭ電源制御装置へ送信する。
【００２１】
第８発明に係る負荷制御装置は、前記第２受信手段は、外部から前記第１負荷の始動許可信号を受信し、前記第２受信手段が始動許可信号を受信したときは、前記始動手段が前記第１負荷を始動させるように構成してあることを特徴とする。
【００２２】
この負荷制御装置では、第２受信手段は、外部から第１負荷の始動許可信号を受信し、第２受信手段が始動許可信号を受信したときは、始動手段が第１負荷を始動させる。
【発明の効果】
【００２３】
本発明に係る電源システムによれば、一方の負荷の電源電圧をＰＷＭ制御している場合に、突入電流が発生する他方の負荷が始動しても、一方の負荷の電源電圧が定格を下回ることを防止でき、消費電力の削減効果の低下を防止できる電源システムを実現することができる。
【００２４】
本発明に係るＰＷＭ電源制御装置によれば、本発明に係る電源システムに好適に使用されるＰＷＭ電源制御装置を実現することができる。
本発明に係る負荷制御装置によれば、本発明に係る電源システムに好適に使用される負荷制御装置を実現することができる。
【図面の簡単な説明】
【００２５】
【図１】本発明に係る電源システム、ＰＷＭ電源制御装置及び負荷制御装置の実施の形態の要部構成例を示すブロック図である。
【図２】本発明に係る電源システム（ＰＷＭ電源制御装置）の動作の例を示すフローチャートである。
【図３】本発明に係る電源システム（負荷制御装置）の動作の例を示すフローチャートである。
【図４】許容電流マップのイメージの例を示す説明図である。
【図５】本発明に係るＰＷＭ電源制御装置の動作の例を説明する説明図である。
【図６】本発明に係るＰＷＭ電源制御装置の動作の例を説明する説明図である。
【図７】突入電流の例を示す波形図である。
【発明を実施するための形態】
【００２６】
以下に、本発明をその実施の形態を示す図面に基づき説明する。
図１は、本発明に係る電源システム、ＰＷＭ電源制御装置及び負荷制御装置の実施の形態の要部構成例を示すブロック図である。
この電源システムは、車両用電源システムであり、図示しないエンジンに連動して発電し、発電した交流電力を整流して出力するオルタネータ２及びバッテリ１から電力を供給される。オルタネータ２が出力した電力は、バッテリ１に充電されると共に、ランプＥＣＵ（ＰＷＭ電源制御装置）３、ボディーＥＣＵ６、パワーウィンドーＥＣＵ９、空調機ＥＣＵ（負荷制御装置）１０、空調機１１等の負荷に与えられる。
【００２７】
ボディーＥＣＵ６は、車体に関係する負荷の操作スイッチ類と接続され、操作スイッチへの操作を受付けて、当該負荷のＥＣＵへその操作信号を送信する。ここでは、例えば、ヘッドランプ４，５のランプスイッチ７が接続され、ランプスイッチ７への操作を受付け、ＣＡＮ（Controller Area Network）等の通信線１３を通じてランプＥＣＵ３へその操作信号を送信する。
パワーウィンドーＥＣＵ９は、ボディーＥＣＵ６に接続された当該操作スイッチが操作されると、ボディーＥＣＵ６から通信線１３を通じて、その操作信号を受信し、パワーウィンドーモータ８を駆動制御する。
【００２８】
空調機ＥＣＵ１０は、ボディーＥＣＵ６に接続された当該操作スイッチが操作されると、ボディーＥＣＵ６から通信線１３を通じて、その操作信号を受信し、受信した操作信号に応じて、空調機１１内のブロアモータ１２及びコンプレッサ（図示せず）等を駆動制御する。
ランプＥＣＵ３は、ボディーＥＣＵ６に接続された当該操作スイッチが操作されると、ボディーＥＣＵ６から通信線１３を通じて、その操作信号を受信する。次いで、ランプＥＣＵ３は、入力されている電源電圧値を周期的に検出し、検出した電源電圧値が、ヘッドランプ４，５の定格電圧値１２Ｖよりも高いときは、電源電圧値が１２Ｖに降圧されるようにデュ―ティ比を定めてＰＷＭ制御し、ＰＷＭ制御した電源電圧をヘッドランプ４，５に与える。
【００２９】
ランプＥＣＵ３は、ブロアモータ１２、コンプレッサ（図示せず）、パワーウィンドーモータ８及びワイパーモータ（図示せず）等のそれぞれの突入電流値を記憶している。
また、ランプＥＣＵ３は、図４にそのイメージを示す許容電流マップを記憶している。許容電流マップは、検出した入力電圧値（電源電圧値）を縦軸に、突入電流値を横軸に取り、突入電流が発生しても、電源電圧が定格割れ（定格を下回ること）を起こす可能性がない電源電圧値の領域を「ＯＫゾーン」とし、突入電流が発生すると、定格割れを起こす可能性が有る電源電圧値の領域を「ＮＧゾーン」として設定してある。「ＯＫゾーン」及び「ＮＧゾーン」は、実測又は計算に基づき定める。
【００３０】
例えば、空調機ＥＣＵ１０は、ボディーＥＣＵ６から通信線１３を通じて、ブロアモータ１２の操作信号を受信すると、ブロアモータ１２の始動前信号を、通信線１３を通じて、ランプＥＣＵ３へ送信すると共に、所定時間、ブロアモータ１２を始動させずに待機する。
ランプＥＣＵ３は、ブロアモータ１２の始動前信号を受信すると、記憶している許容電流マップ（図４）において、記憶してあるブロアモータ１２の突入電流値（横軸）と検出した電源電圧値（縦軸）とによる点が、「ＯＫゾーン」及び「ＮＧゾーン」の何れに含まれるかを判定する。
【００３１】
ランプＥＣＵ３は、突入電流値と電源電圧値とで定まる点が、「ＮＧゾーン」に含まれると判定したときは、電源電圧のＰＷＭ制御を停止すると共に、ブロアモータ１２の始動許可信号を、通信線１３を通じて、空調機ＥＣＵ１０へ送信する。
空調機ＥＣＵ１０は、ブロアモータ１２の始動許可信号を受信すると、ブロアモータ１２を始動させる。
【００３２】
以下に、このような構成の電源システムの動作の例を、それを示す図２，３のフローチャートを参照しながら説明する。
ランプＥＣＵ３は、ボディーＥＣＵ６からランプスイッチ７をオンにする操作信号を受信すると（Ｓ１）、入力されている電源電圧値を検出し、検出した電源電圧値が１２Ｖに降圧されるようにデュ―ティ比を定めて、電源電圧をＰＷＭ制御し、ＰＷＭ制御した電源電圧のヘッドランプ４，５への供給を開始する（Ｓ３）。
【００３３】
ランプＥＣＵ３は、ＰＷＭ制御した電源電圧をヘッドランプ４，５へ供給している場合、空調機ＥＣＵ１０からブロアモータ１２の始動前信号を受信したか否かを判定し（Ｓ５）、ブロアモータ１２の始動前信号を受信したときは、ブロアモータ１２の始動により電源電圧が定格割れする可能性を判定する（Ｓ７）。
ランプＥＣＵ３は、ＰＷＭ制御した電源電圧をヘッドランプ４，５へ供給している場合に、空調機ＥＣＵ１０からブロアモータ１２の始動前信号を受信していなければ（Ｓ５）、ボディーＥＣＵ６からランプスイッチ７をオフにする操作信号を受信したか否かを判定する（Ｓ２５）。
【００３４】
ランプＥＣＵ３は、ボディーＥＣＵ６からランプスイッチ７をオフにする操作信号を受信していなければ（Ｓ２５）、空調機ＥＣＵ１０からブロアモータ１２の始動前信号を受信したか否かを判定する（Ｓ５）。
ランプＥＣＵ３は、ボディーＥＣＵ６からランプスイッチ７をオフにする操作信号を受信していれば（Ｓ２５）、ヘッドランプ４，５への電力供給を停止する（Ｓ２７）。次いで、ランプＥＣＵ３は、ボディーＥＣＵ６からランプスイッチ７をオンにする操作信号を受信しているか否かを判定する（Ｓ１）。
【００３５】
ランプＥＣＵ３は、ブロアモータ１２の始動により電源電圧が定格割れする可能性を判定する際（Ｓ７）は、記憶している許容電流マップ（図４）において、記憶してあるブロアモータ１２の突入電流値（横軸）と検出した電源電圧値（縦軸）とで定まる点が、「ＯＫゾーン」及び「ＮＧゾーン」の何れに含まれるかを判定する。
【００３６】
ランプＥＣＵ３は、図５に示すように、記憶してあるブロアモータ１２の突入電流値（横軸）が例えば１００Ａであり、検出した電源電圧値（縦軸）が例えば１３．７Ｖであれば、両者で定まる点が「ＯＫゾーン」に含まれているので、定格割れの可能性無しと判定する（Ｓ９）。
ランプＥＣＵ３は、図６に示すように、記憶してあるブロアモータ１２の突入電流値（横軸）が例えば１００Ａであり、検出した電源電圧値（縦軸）が例えば１２．３Ｖであれば、両者で定まる点が「ＮＧゾーン」に含まれているので、定格割れの可能性有りと判定する（Ｓ９）。
【００３７】
ランプＥＣＵ３は、定格割れの可能性無しと判定したときは（Ｓ９）、ボディーＥＣＵ６からランプスイッチ７をオフにする操作信号を受信したか否かを判定する（Ｓ２５）。
ランプＥＣＵ３は、定格割れの可能性有りと判定したときは（Ｓ９）、デュ―ティ比を１００％に定めて電源電圧をＰＷＭ制御し、ＰＷＭ制御した電源電圧のヘッドランプ４，５への供給を開始（ＰＷＭ制御停止）する（Ｓ１１）。
【００３８】
ランプＥＣＵ３は、ＰＷＭ制御した電源電圧のヘッドランプ４，５への供給を開始（ＰＷＭ制御停止）した後（Ｓ１１）、空調機ＥＣＵ１０へブロアモータ１２の始動許可信号を送信し（Ｓ１３）、送信してから所定時間Ｔ１が経過する迄待機する（Ｓ１５）。
ランプＥＣＵ３は、所定時間Ｔ１が経過すると（Ｓ１５）、ボディーＥＣＵ６からランプスイッチ７をオフにする操作信号を受信したか否かを判定する（Ｓ１７）。
【００３９】
ランプＥＣＵ３は、ランプスイッチ７をオフにする操作信号を受信していなければ（Ｓ１７）、入力されている電源電圧値を検出し、検出した電源電圧値が１２Ｖに降圧されるようにデュ―ティ比を定めて、電源電圧をＰＷＭ制御し、ＰＷＭ制御した電源電圧のヘッドランプ４，５への供給を再開する（Ｓ３）。
ランプＥＣＵ３は、ランプスイッチ７をオフにする操作信号を受信していれば（Ｓ１７）、ヘッドランプ４，５への電力供給を停止する（Ｓ１９）。次いで、ランプＥＣＵ３は、ボディーＥＣＵ６からランプスイッチ７をオンにする操作信号を受信しているか否かを判定する（Ｓ１）。
【００４０】
ランプＥＣＵ３は、ボディーＥＣＵ６からランプスイッチ７をオンにする操作信号を受信していなければ（Ｓ１）、空調機ＥＣＵ１０からブロアモータ１２の始動前信号を受信したか否かを判定する（Ｓ２１）。
ランプＥＣＵ３は、ブロアモータ１２の始動前信号を受信したときは（Ｓ２１）、空調機ＥＣＵ１０へブロアモータ１２の始動許可信号を送信した後（Ｓ２３）、ボディーＥＣＵ６からランプスイッチ７をオンにする操作信号を受信しているか否かを判定する（Ｓ１）。
ランプＥＣＵ３は、ブロアモータ１２の始動前信号を受信していなければ（Ｓ２１）、ボディーＥＣＵ６からランプスイッチ７をオンにする操作信号を受信しているか否かを判定する（Ｓ１）。
【００４１】
空調機ＥＣＵ１０は、ボディーＥＣＵ６からブロアモータ１２の操作スイッチ（図示せず）をオンにする始動指示信号を受信したか否かを判定し（Ｓ３１）、始動指示信号を受信していれば、ブロアモータ１２の始動前信号をランプＥＣＵ３へ送信する（Ｓ３３）。空調機ＥＣＵ１０は、始動指示信号を受信していなければ（Ｓ３１）、始動指示信号を受信する迄待機する。
【００４２】
空調機ＥＣＵ１０は、始動前信号をランプＥＣＵ３へ送信した後（Ｓ３３）、ランプＥＣＵ３からブロアモータ１２の始動許可信号を受信したか否かを判定しながら（Ｓ３５）、始動前信号を送信してから（Ｓ３３）所定時間Ｔ２が経過する迄待機する（Ｓ３７）。
空調機ＥＣＵ１０は、始動許可信号を受信する迄に（Ｓ３５）、所定時間Ｔ２が経過すると（Ｓ３７）、ブロアモータ１２を始動させる（Ｓ３９）。
空調機ＥＣＵ１０は、所定時間Ｔ２が経過する迄に（Ｓ３７）、始動許可信号を受信したときは（Ｓ３５）、ブロアモータ１２を始動させる（Ｓ３９）。
【００４３】
空調機ＥＣＵ１０は、ブロアモータ１２を始動させた後（Ｓ３９）、ボディーＥＣＵ６からブロアモータ１２の操作スイッチ（図示せず）をオフにする停止指示信号を受信する迄（Ｓ４１）、ブロアモータ１２を駆動制御する。
空調機ＥＣＵ１０は、停止指示信号を受信したときは（Ｓ４１）、ブロアモータ１２を停止させた後（Ｓ４３）、ボディーＥＣＵ６からブロアモータ１２の操作スイッチ（図示せず）をオンにする始動指示信号を受信したか否かを判定する（Ｓ３１）。
【００４４】
尚、本実施の形態では、突入電流を発生させる負荷（第１負荷）として、ブロアモータ１２を採用しているが、空調機ＥＣＵ１０が駆動制御するコンプレッサモータ、パワーウィンドーＥＣＵ９が駆動制御するパワーウィンドーモータ８、及びワイパーモータ等も同様に採用することが可能である。また、突入電流を発生させる複数の負荷を採用して、本実施の形態と同様の構成とすることも可能である。
【符号の説明】
【００４５】
１  バッテリ
２  オルタネータ
３  ランプＥＣＵ（ＰＷＭ電源制御装置）
４，５  ヘッドランプ
６  ボディーＥＣＵ
７  ランプスイッチ
８  パワーウィンドーモータ
９  パワーウィンドーＥＣＵ
１０  空調機ＥＣＵ（負荷制御装置）
１１  空調機
１２  ブロアモータ
１３  通信線
【図１】
0005793993.tif 000002
【図２】
0005793993.tif 000003
【図３】
0005793993.tif 000004
【図４】
0005793993.tif 000005
【図５】
0005793993.tif 000006
【図６】
0005793993.tif 000007
【図７】
0005793993.tif 000008